(57)【要約】【課題】  接続端子とフラットケーブルとの端子接続部に外力が作用するのを防止できるフラットケーブルコネクタ用リテーナを得る。【解決手段】  コネクタハウジング１０の端子収納室１１Ａ，１１Ｂ内にフラットケーブルに接続された接続端子７が挿入されて抜け止めされている。コネクタハウジングの端子収納室に挿入されるリテーナ本体１７を有するリテーナ１８が設けられ、リテーナ本体１７に端子収納室内でフラットケーブルを押える押え部１９が設けられている。リテーナ本体１７には、コネクタハウジングの外に突出する所要の長さのフラットケーブル保持部材２２が連設され、端子収納室から導出されたフラットケーブルがフラットケーブル保持部材２２に添わされて、粘着テープによりフラットケーブル保持部材２２に結束されている。【選択図】  図１
2008103342.tif 000002
【特許請求の範囲】
【請求項１】
フラット導体（１）がフラット絶縁被覆（２）で被覆されたフラットケーブル（３）と、前記フラットケーブル（３）の端部に接続された接続端子（７）と、前記接続端子を収納する端子収納室（１１Ａ，１１Ｂ）を有するコネクタハウジング（１０）と、前記コネクタハウジングの端子収納室内に挿入されるリテーナ本体（１７）を有するフラットケーブルコネクタ用リテーナ（１８）とを備えて、前記コネクタハウジング（１０）と前記接続端子（７）と前記リテーナ（１８）とによりコネクタが構成されているコネクタ付きフラットケーブルにおいて、
前記接続端子（７）は複数のクリンプ片（６）を有して、該複数のクリンプ片が前記フラット導体（１）の箇所で前記フラットケーブル（３）に突き刺されるとともに、前記フラットケーブルを突き抜けた各クリンプ片（６）が折り曲げ加締められて端子接続部（８）が形成され、
前記接続端子（７）は、前記端子接続部（８）を前記コネクタハウジング（１０）に設けられた端子収納室の一つの内面に添わせた状態で前記端子接続部と共に前記端子収納室内に挿入されて抜け止めされ、
前記リテーナのリテーナ本体（１７）は、前記端子収納室内に挿入された際に前記端子収納室の前記一つの内面に相対する他の内面に接触した状態で前記端子収納室内を前記接続端子側に延びて先端側の部分が前記端子接続部に対向した状態で配置されるように設けられ、
前記リテーナ本体（１７）の後端部側には、該リテーナ本体が前記端子収納室内に挿入された際に前記フラットケーブルの前記端子接続部に隣接する部分を前記端子収納室の前記一つの内面に押えつけるように形成された押え部（１９）と、前記コネクタハウジングの外側で前記フラットケーブルのフラットな面と直交する平面に沿って前記リテーナ本体の長手方向に対して角度をなす方向に折れ曲がって延びる所要長さのフラットケーブル保持部材（２２）とが一体に設けられ、
前記リテーナ本体の後端部側にはまた前記フラットケーブル（３）を通すためのフラットケーブル通し溝（２１）が前記端子収納室内に挿入されたフラットケーブルの幅方向の一方の側に開口した状態で設けられ、
前記端子収納室から前記フラットケーブル通し溝（２１）を通して外部に導出されたフラットケーブル（３）が前記フラットケーブル保持部材（２２）に添わされて、前記フラットケーブル保持部材と該フラットケーブル保持部材に添わされたフラットケーブルとに粘着テープ（２３）が巻き付けられることにより前記フラットケーブル保持部材とフラットケーブルとが相互に結束されていること、
を特徴とするコネクタ付きフラットケーブル。
【請求項２】
フラットな面を同一の平面上に位置させて並設された複数のフラット導体（１）がフラット絶縁被覆（２）で一括して被覆された構造を有して、端部で隣接するフラット導体間に切り込み（４）が入れられてトリミングされることにより端部が複数のフラットケーブル部（３Ａ，３Ｂ）に分岐されているフラットケーブル（３）と、前記複数のフラットケーブル部（３Ａ，３Ｂ）のそれぞれの端部に接続された複数の接続端子（７）と、前記複数の接続端子にそれぞれ対応する複数の端子収納室（１１Ａ，１１Ｂ）を有するコネクタハウジング（１０）と、先端を前記コネクタハウジングの対応する端子収納室内の接続端子に向けた状態で対応する端子収納室内にそれぞれ挿入される複数のリテーナ本体（１７）と前記コネクタハウジングの外側で前記複数のリテーナ本体の後端部を相互に連結する連結部材（２０）とを一体に有するフラットケーブルコネクタ用リテーナ（１８）とを備えて、前記コネクタハウジング（１０）と前記複数の接続端子（７）と前記フラットケーブルコネクタ用リテーナ（１８）とによりコネクタが構成されているコネクタ付きフラットケーブルにおいて、
前記コネクタハウジングの前記複数の端子収納室は、それぞれの内部に収納する接続端子に接続されているフラットケーブル部の幅方向に対して直角な方向に並ぶように設けられていて、前記複数の端子収納室が並ぶ方向に対向する一対の内面が各端子収納室内に形成され、
各接続端子（７）は複数のクリンプ片（６）を有して、該複数のクリンプ片がフラット導体（１）の箇所で対応するフラットケーブル部（３Ａ，３Ｂ）に突き刺されるとともに、前記フラットケーブル部を突き抜けた各クリンプ片（６）が折り曲げ加締められて各接続端子を対応するフラットケーブル部に接続する端子接続部（８）が形成され、
各接続端子（７）は、前記端子接続部（８）を前記コネクタハウジング（１０）に設けられた対応する端子収納室内の一対の内面のうちの一方の内面に添わせた状態で前記端子接続部（８）と共に対応する端子収納室内に挿入されて抜け止めされ、
前記リテーナ（１８）のリテーナ本体（１７）は、対応する端子収納室内に挿入された際に該端子収納室内の一対の内面の内の他方の内面に接触した状態で該端子収納室内を対応する接続端子側に延びて先端側の部分が対応する端子収納室内に挿入されている端子接続部に対向した状態で配置されるように形成され、
各リテーナ本体（１７）の後端部側には、各リテーナ本体が対応する端子収納室内に挿入された際に対応するフラットケーブル部の端子接続部に隣接する部分を対応する端子収納室内の前記一方の内面に押えつけるように形成された押え部（１９）が設けられ、
前記フラットケーブル用リテーナの連結部材には、前記コネクタハウジングの外側で前記複数の端子収納室内の一対の内面と直交する平面に沿って前記リテーナ本体の長手方向に対して角度をなす方向に折れ曲がって延びる所要長さのフラットケーブル保持部材（２２）が一体に設けられるとともに、前記複数の端子収納室から導出されたフラットケーブル部を個別に通すための複数のフラットケーブル通し溝（２１）が、前記端子収納室内に挿入されたフラットケーブル部の幅方向の一方の側に開口した状態で設けられ、
前記コネクタハウジングの各端子収納室から前記フラットケーブル通し溝（２１）を通して外部に導出されたフラットケーブル部（３Ａ，３Ｂ）が前記フラットケーブル保持部材（２２）に添わされて、前記フラットケーブル保持部材と該フラットケーブル保持部材に添わされたフラットケーブル部とに粘着テープ（２３）が巻き付けられることにより前記フラットケーブル保持部材とフラットケーブルとが相互に結束されていること、
を特徴とするコネクタ付きフラットケーブル。
【発明の詳細な説明】
【技術分野】
【０００１】
本発明は、コネクタ付きフラットケーブルに関するものである。
【背景技術】
【０００２】
電気機器や自動車等の電気配線に、図４に示すように、平行に並設された銅やアルミニュウム等の帯状導体よりなる例えば厚さが0.15ｍｍ，幅が1.5 ｍｍ〜3.0 ｍｍ程度の複数のフラット導体１が、ポリエチレンテレフタレートの如きプラスチックよりなるフラット絶縁被覆２で一括して被覆された構造のフラットケーブル３が用いられるようになってきている。
【０００３】
このようなフラットケーブル３では、図５に示すように、隣接するフラット導体１間のフラット絶縁被覆２に切込み４が入れられトリミングされて複数の独立したフラットケーブル部３Ａ，３Ｂが分岐して形成され、これらの独立したフラットケーブル部３Ａ，３Ｂに、図４に示すように、雌形端子本体５ａに端子板部５ｂが連設され、該端子板部５ｂの幅方向の両側にクリンプ片６が立設された構造の接続端子７の各クリンプ片６をそのフラット導体１に対応する箇所で突き刺して、対応するフラット導体１と接続端子７との導通をとり、各フラットケーブル部３Ａ，３Ｂを突き抜けた各クリンプ片６の先端部を、図５に示すように、折曲げ加締めて端子接続部８をそれぞれ形成することにより、端子付きフラットケーブル９とすることが実施されている。
【０００４】
通常、このような端子付きフラットケーブル９において、独立したフラットケーブル部３Ａ，３Ｂに接続された各接続端子７は、図６に示すように、横向きのコネクタハウジング１０内に横方向に並設された各端子収容室１１Ａ，１１Ｂに、各端子接続部８も内蔵されるように収容され、図示しない係止部材で抜止めされてコネクタ１２が形成され、コネクタ付きフラットケーブル１３となっている。この種のコネクタ付きフラットケーブルは例えば特許文献１に示されている。
【０００５】
しかしながら、実際には、端子付きフラットケーブル９専用に総てのコネクタハウジング１０が設計されているわけではなく、経済的理由やコネクタ１２の配置場所の影響から、図７に示すように、縦向きの従来のコネクタハウジング１０内に縦方向に並設された各端子収容室１１Ａ，１１Ｂに、各接続端子７がその端子接続部８も内蔵されるように収容され、図示しない係止部材で抜止めされてコネクタ１２が形成され、コネクタ付きフラットケーブル１３となるものもある。なお、１４はコネクタハウジング１０を接続相手の図示しないコネクタハウジングに嵌めてロックするロック部材である。
【０００６】
この場合、端子収容室１１Ａ，１１Ｂに挿入する各接続端子７には、方向性があり、上下共に同一方向に挿入しなければならない場合もあれば、上下逆方向に挿入しなければならない場合もある。
【０００７】
このようにコネクタハウジング１０内に端子収容室１１Ａ，１１Ｂが縦に存在する場合には、予めフラットケーブル部３Ａ，３Ｂが独立して動けるように、図７に示すように、隣接するフラット導体１間のフラット絶縁被覆２に切込み４を入れ、図８に示すように、一方のフラットケーブル部３Ｂをひねって他方のフラットケーブル部３Ａの上に存在させ、図７に示す上下の各端子収容室１１Ａ，１１Ｂに、各接続端子７がその端子接続部８も内蔵されるように収容していた。
【０００８】
この他に、実際に使用されるコネクタハウジング１０は、例えば図９に示すように、縦横に端子収容室１１Ａ，１１Ｂ，１１Ｃ，１１Ｄが設けられたものも使われ、この場合には、４本のフラット導体１を有するフラットケーブル３に、一端側で隣接する２本のフラット導体１間のフラット絶縁被覆２に切込み４を入れて独立したフラットケーブル部３Ａ，３Ｂを形成し、２本目と３本目のフラット導体１間に切込み４より長い切込み１５を入れて独立したフラットケーブル部３Ｘ，３Ｙを形成し、３本目と４本目のフラット導体１間に切込み４と同程度の長さの切込み１６を入れて独立したフラットケーブル部３Ｃ，３Ｄを形成し、これらフラットケーブル部３Ａ〜３Ｄに前述したと同様に各接続端子７をその各クリンプ片６を用いて接続して端子付きフラットケーブル９を構成し、各接続端子７をその端子接続部８も内蔵されるように対応する端子収容室１１Ａ〜１１Ｄに収容して、図示しない係止部材で抜止めしてコネクタ１２を形成し、コネクタ付きフラットケーブル１３とする場合もある。
【０００９】
このようにしてコネクタハウジング１０に挿入された端子付きフラットケーブル９に、もし曲げやひねりといった外力が加えられると、その力がコネクタハウジング１０内の端子接続部８におよび、該端子接続部８の絶縁部を破断してしまう恐れがある。
【００１０】
このため、通常、図１０及び図１１に示すように、コネクタハウジング１０内の各端子収容室１１Ａ，１１Ｂに、端子付きフラットケーブル９の接続端子７をそれぞれ挿入して抜け止めしてセットした状態で、各端子収容室１１Ａ，１１Ｂの後端から、各接続端子７に接続されているフラットケーブル部３Ａ，３Ｂを押える樹脂等で形成されたリテーナ本体１７を有するフラットケーブルコネクタ用リテーナ１８を挿入して押え部１９で押さるようにしている。
【００１１】
このようにすると、コネクタハウジング１０の外で、フラットケーブル部３Ａ，３Ｂに外力が作用した場合、その外力による影響は押え部１９で阻止されて、端子接続部８に作用しないようになり、端子接続部８を保護することができる。
【特許文献１】特開２００１−２１０１４６号公報
【発明の開示】
【発明が解決しようとする課題】
【００１２】
しかしながら、従来考えられているフラットケーブルコネクタ用リテーナ１８による外力防止保護方法では、ある程度のフラットケーブル部３Ａ，３Ｂの曲げ応力に対しては効果を発揮するが、さらに強い力によるフラットケーブルへの曲げ応力や引張り応力に対しては弱いという問題点があった。
【００１３】
また、車載フラットケーブルの使われ方は、ごく限られた配索やフラットケーブル用コネクタの接続作業が比較的やり易い部位に使用されてきたが、最近、フラットケーブルの車載配線が増し、車内の狭隘な部位や手探りでフラットケーブル用コネクタを接続しなければないないような部位にも使われるようになってきている。そのような部位では、フラットケーブルの配索や接続作業時に、今まで考え難かった異常な曲げや張力がかかることが考えられ、早急に接続端子とフラットケーブルとの端子接続部に外力が作用するのを防止する保護対策を確立することが望まれている。
【００１４】
本発明の目的は、接続端子とフラットケーブルとの端子接続部に外力が作用するのを防止できるコネクタ付きフラットケーブルを提供することにある。
【課題を解決するための手段】
【００１５】
本発明は、フラット導体（１）がフラット絶縁被覆（２）で被覆されたフラットケーブル（３）と、フラットケーブル（３）の端部に接続された接続端子（７）と、接続端子を収納する端子収納室（１１Ａ，１１Ｂ）を有するコネクタハウジング（１０）と、コネクタハウジングの端子収納室内に挿入されるリテーナ本体（１７）を有するフラットケーブルコネクタ用リテーナ（１８）とを備えて、コネクタハウジング（１０）と接続端子（７）とリテーナ（１８）とによりコネクタが構成されているコネクタ付きフラットケーブルを対象とする。
【００１６】
本発明においては、上記コネクタフラットケーブルが下記のように構成される。
接続端子（７）は複数のクリンプ片（６）を有して、該複数のクリンプ片がフラット導体（１）の箇所でフラットケーブル（３）に突き刺されるとともに、フラットケーブルを突き抜けた各クリンプ片（６）が折り曲げ加締められて端子接続部（８）が形成される。  また接続端子（７）は、端子接続部（８）をコネクタハウジング（１０）に設けられた端子収納室の一つの内面に添わせた状態で端子接続部と共に端子収納室内に挿入されて抜け止めされる。
リテーナのリテーナ本体（１７）は、端子収納室内に挿入された際に端子収納室の一つの内面に相対する他の内面に接触した状態で端子収納室内を接続端子側に延びて先端側の部分が端子接続部に対向した状態で配置されるように設けられる。
またリテーナ本体（１７）の後端部側には、該リテーナ本体が端子収納室内に挿入された際にフラットケーブルの端子接続部に隣接する部分を端子収納室の一つの内面に押えつけるように形成された押え部（１９）と、コネクタハウジングの外側でフラットケーブルのフラットな面と直交する平面に沿ってリテーナ本体の長手方向に対して角度をなす方向に折れ曲がって延びる所要長さのフラットケーブル保持部材（２２）とが一体に設けられる。
リテーナ本体の後端部側にはまたフラットケーブル（３）を通すためのフラットケーブル通し溝（２１）が端子収納室内に挿入されたフラットケーブルの幅方向の一方の側に開口した状態で設けられ、端子収納室からフラットケーブル通し溝（２１）を通して外部に導出されたフラットケーブル（３）がフラットケーブル保持部材（２２）に添わされて、フラットケーブル保持部材と該フラットケーブル保持部材に添わされたフラットケーブルとに粘着テープ（２３）が巻き付けられることによりフラットケーブル保持部材とフラットケーブルとが相互に結束される。
【００１７】
上記のように構成すると、フラットケーブルに異常な曲げや張力等の外力が作用しても、この外力は、フラットケーブルと一緒に結束手段で結束されているフラットケーブル保持部材とこれに一体のコネクタハウジングに作用するようになる。そのため、コネクタハウジングの端子収納室内でリテーナ本体の押え部によりフラットケーブルが端子収納室の内面に押えつけられていることと相俟って、コネクタハウジング内の接続端子とフラットケーブルとの端子接続部にその外力が作用するのを防ぐことができ、端子接続部を外力から保護することができる。
【００１８】
また、本発明は、フラットな面を同一の平面上に位置させて並設された複数のフラット導体（１）がフラット絶縁被覆（２）で一括して被覆された構造を有して、端部で隣接するフラット導体間に切り込み（４）が入れられてトリミングされることにより端部が複数のフラットケーブル部（３Ａ，３Ｂ）に分岐されているフラットケーブル（３）と、複数のフラットケーブル部（３Ａ，３Ｂ）のそれぞれの端部に接続された複数の接続端子（７）と、複数の接続端子にそれぞれ対応する複数の端子収納室（１１Ａ，１１Ｂ）を有するコネクタハウジング（１０）と、先端をコネクタハウジングの対応する端子収納室内の接続端子に向けた状態で対応する端子収納室内にそれぞれ挿入される複数のリテーナ本体（１７）とコネクタハウジングの外側で前記複数のリテーナ本体の後端部を相互に連結する連結部材（２０）とを一体に有するフラットケーブルコネクタ用リテーナ（１８）とを備えて、コネクタハウジング（１０）と複数の接続端子（７）とフラットケーブルコネクタ用リテーナ（１８）とによりコネクタが構成されているコネクタ付きフラットケーブルを対象とする。
【００１９】
本発明においては、コネクタハウジングの前記複数の端子収納室が、それぞれの内部に収納する接続端子に接続されているフラットケーブル部の幅方向に対して直角な方向に並ぶように設けられていて、複数の端子収納室が並ぶ方向に対向する一対の内面が各端子収納室内に形成されている。また各接続端子（７）は複数のクリンプ片（６）を有して、該複数のクリンプ片がフラット導体（１）の箇所で対応するフラットケーブル部（３Ａ，３Ｂ）に突き刺されるとともに、フラットケーブル部を突き抜けた各クリンプ片（６）が折り曲げ加締められて各接続端子を対応するフラットケーブル部に接続する端子接続部（８）が形成されている。各接続端子（７）は、端子接続部（８）をコネクタハウジング（１０）に設けられた対応する端子収納室内の一対の内面のうちの一方の内面に添わせた状態で端子接続部（８）と共に対応する端子収納室内に挿入されて抜け止めされている。各リテーナ本体（１７）は、対応する端子収納室内に挿入された際に該端子収納室内の一対の内面の内の他方の内面に接触した状態で該端子収納室内を対応する接続端子側に延びて先端側の部分が対応する端子収納室内に挿入されている端子接続部に対向した状態で配置されるように形成されている。
リテーナの各リテーナ本体（１７）の後端部側には、各リテーナ本体が対応する端子収納室内に挿入された際に対応するフラットケーブル部の端子接続部に隣接する部分を対応する端子収納室内の前記一方の内面に押えつけるように形成された押え部（１９）が形成されている。
またフラットケーブル用リテーナの連結部材には、コネクタハウジングの外側で複数の端子収納室内の一対の内面と直交する平面に沿ってリテーナ本体の長手方向に対して角度をなす方向に折れ曲がって延びる所要長さのフラットケーブル保持部材（２２）が一体に設けられるとともに、複数の端子収納室から導出されたフラットケーブル部を個別に通すための複数のフラットケーブル通し溝（２１）が、端子収納室内に挿入されたフラットケーブル部の幅方向の一方の側に開口した状態で設けられている。
コネクタハウジングの各端子収納室からフラットケーブル通し溝（２１）を通して外部に導出されたフラットケーブル部（３Ａ，３Ｂ）がフラットケーブル保持部材（２２）に添わされて、フラットケーブル保持部材と該フラットケーブル保持部材に添わされたフラットケーブル部とに粘着テープ（２３）が巻き付けられることによりフラットケーブル保持部材とフラットケーブルとが相互に結束されている。
【００２０】
上記のように構成すると、フラットケーブルに異常な曲げや張力等の外力が作用しても、この外力はこのフラットケーブルと一緒に結束手段で結束されているフラットケーブル保持部材とこれに一体のコネクタハウジングに作用するようになる。そのため、コネクタハウジングの端子収納室内でリテーナ本体の押え部によりフラットケーブルが端子収納室の内面に押えつけられていることと相俟って、コネクタハウジング内の接続端子とフラットケーブルとの端子接続部にその外力が作用するのを防ぐことができ、端子接続部を外力から保護することができる。
【発明の効果】
【００２１】
本発明によれば、フラットケーブルに異常な曲げや張力等の外力が作用しても、この外力はフラットケーブルと一緒に結束手段で結束されているフラットケーブル保持部材とこれに一体のコネクタハウジングに作用するようになる。そのため、コネクタハウジングの端子収納室内でリテーナ本体の押え部によりフラットケーブルが端子収納室の内面に押えつけられていることと相俟って、コネクタハウジング内の接続端子とフラットケーブルとの端子接続部にその外力が作用するのを防ぐことができ、端子接続部を外力から確実に保護することができる。
【００２２】
また本発明では、フラットケーブル保持部材とフラットケーブルとを粘着テープで結束するので、結束を簡単に行うことができる。
【発明を実施するための最良の形態】
【００２３】
図１（Ａ）（Ｂ）乃至図３は本発明に係るコネクタ付きフラットケーブルの実施の形態の一例を示したもので、図１（Ａ）（Ｂ）は本実施形態で用いるフラットケーブルコネクタ用リテーナの正面図及び側面図、図２及び図３は本実施形態に係わるコネクタ付きフラットケーブルの斜視図及びコネクタハウジングを縦断して内部を開示した説明図である。
【００２４】
本実施形態で用いるフラットケーブルコネクタ用リテーナ１８は、後述するコネクタハウジングの端子収納室にセットされて該端子収納室内の接続端子に接続されているフラットケーブルを押えるリテーナ本体１７を有する。本例では、リテーナ本体１７がその押え部１９が相互に向かい合う向きにして、基部が連結部材２０で相互に連結されている。連結部材２０には、各押え部１９の縁部に対応してフラットケーブル通し溝２１が設けられている。一方のリテーナ本体１７には、これと一体の連結部材２０に連設されていて図示しないコネクタハウジングの外に突出する所要の長さを有するフラットケーブル保持部材２２が１本設けられている。このフラットケーブル保持部材２２は、一方のリテーナ本体１７側から他方のリテーナ本体１７側に曲げられている。
【００２５】
図２及び図３は本発明に係るコネクタ付きフラットケーブルの実施形態の１例を示したものである。
【００２６】
本実施形態に係わるコネクタ付きフラットケーブルは、前述した図１０及び図１１に示すコネクタ付きフラットケーブルに本発明を適用したものである。
【００２７】
本例のコネクタ付きフラットケーブルでは、コネクタハウジング１０内の各端子収容室１１Ａ，１１Ｂに、フラットケーブル９から分岐した各フラットケーブル部３Ａ，３Ｂの先端の接続端子７をそれぞれ挿入して抜け止めしてセットした状態で、各端子収容室１１Ａ，１１Ｂの後端から、各接続端子７に接続されている樹脂等で形成された図１（Ａ），（Ｂ）に示すフラットケーブルコネクタ用リテーナ１８の各リテーナ本体１７が挿入されて各押え部１９でフラットケーブル部３Ａ，３Ｂが押えられている。
【００２８】
コネクタハウジング１０の外に突出されている各フラットケーブル部３Ａ，３Ｂは、フラットケーブルコネクタ用リテーナ１８のフラットケーブル保持部材２２にそれぞれ添わされている。フラットケーブル保持部材２２とこれに添わされた各フラットケーブル部３Ａ，３Ｂとは、粘着テープの巻き付けにより構成された結束手段２３で相互に結束されている。
【００２９】
更に詳細に説明すると、本実施形態では、フラットケーブル３が、図５に示されたように、フラットな面を同一の平面上に位置させて並設された二つのフラット導体１をフラット絶縁被覆２で一括して被覆した構造を有している。フラットケーブル３の端部で隣接するフラット導体間に切り込み４が入れられてトリミングされることにより、フラットケーブルの端部が二つのフラットケーブル部３Ａ，３Ｂに分岐され、フラットケーブル部３Ａ，３Ｂのそれぞれの端部には、二つの接続端子７が接続されている。コネクタハウジング１０は、二つの接続端子にそれぞれ対応する二つの端子収納室１１Ａ，１１Ｂを有している。フラットケーブルコネクタ用リテーナ１８は、先端をコネクタハウジング１０の対応する端子収納室内の接続端子に向けた状態で対応する端子収納室内にそれぞれ挿入される二つのリテーナ本体１７とコネクタハウジングの外側で二つのリテーナ本体の後端部を相互に連結する連結部材２０とを一体に有し、コネクタハウジング１０と、二つの接続端子７と、フラットケーブルコネクタ用リテーナ１８とによりコネクタが構成されている。
【００３０】
本実施形態においては、図３に示されたように、コネクタハウジング１０の二つ端子収納室１１Ａ，１１Ｂが、それぞれの内部に収納する接続端子７に接続されているフラットケーブル部３Ａ，３Ｂの幅方向に対して直角な方向に並ぶように設けられていて、該二つの端子収納室が並ぶ方向に対向する一対の内面１１A1，１１A2及び１１B1,１１B2が、端子収納室１１Ａ及び１１Ｂ内にそれぞれ形成されている。また各接続端子７は複数のクリンプ片６を有して、該複数のクリンプ片がフラット導体１の箇所で対応するフラットケーブル部３Ａ，３Ｂに突き刺されるとともに、フラットケーブル部を突き抜けた各クリンプ片６が折り曲げ加締められて各接続端子を対応するフラットケーブル部に接続する端子接続部８が形成されている。フラットケーブル部３Ａ及び３Ｂにそれぞれ接続された接続端子７は、端子接続部８をコネクタハウジング１０に設けられた対応する端子収納室１１Ａ及び１１Ｂ内の一対の内面のうちの一方の内面１１A1及び１１B1に添わせた状態で端子接続部８と共に対応する端子収納室１１Ａ及び１１Ｂ内に挿入されて、図示しない係止部材で係止されることにより抜け止めされている。
【００３１】
各リテーナ本体１７は、対応する端子収納室（１１Ａまたは１１Ｂ）内に挿入された際に該端子収納室内の一対の内面の内の他方の内面（１１A2または１１B2）に接触した状態で該端子収納室内を対応する接続端子７側に延びて先端側の部分が、対応する端子収納室内に挿入されている端子接続部８に対向した状態で配置されるように形成されている。
【００３２】
リテーナ１８の各リテーナ本体１７の後端部側には、各リテーナ本体が対応する端子収納室内に挿入された際に対応するフラットケーブル部の端子接続部８に隣接する部分を対応する端子収納室内の一方の内面（１１A1または１１B1）に押えつけるように形成された押え部１９が設けられている。
【００３３】
またフラットケーブル用リテーナの連結部材２０には、コネクタハウジングの外側で二つの端子収納室１１Ａ及び１１Ｂ内の一対の内面と直交する平面に沿ってリテーナ本体の長手方向に対して角度をなす方向に折れ曲がって延びる所要長さのフラットケーブル保持部材２２が一体に設けられている。図１（Ａ）に示されているように、連結部材２０にはまた、二つの端子収納室１１Ａ及び１１Ｂからそれぞれ導出されたフラットケーブル部３Ａ及び３Ｂを個別に通すための二つのフラットケーブル通し溝２１が、端子収納室１１Ａ及び１１Ｂ内に挿入されたフラットケーブル部３Ａ及び３Ｂの幅方向の一方の側に開口した状態で設けられている。
【００３４】
そして、コネクタハウジングの複数の端子収納室からフラットケーブル通し溝２１を通して外部に導出されたフラットケーブル部３Ａ及び３Ｂがフラットケーブル保持部材２２に添わされて、フラットケーブル保持部材と該フラットケーブル保持部材に添わされたフラットケーブル部とに粘着テープ２３が巻き付けられることにより、フラットケーブル保持部材２２とフラットケーブルとが相互に結束されている。
【００３５】
上記の例では、フラットケーブルから分岐した各フラットケーブル部の先端の接続端子を各端子収容室に収容した例について説明したが、本発明はこれに限定されるものではなく、独立した各フラットケーブルの先端の接続端子を各端子収容室に収容してもよい。
【００３６】
また、上記の例では、コネクタハウジングに複数の端子収容室が存在する例について説明したが、本発明はこれに限定されるものではなく、コネクタハウジングに１つの端子収容室が存在する例も本発明に含まれるものである。
【図面の簡単な説明】
【００３７】
【図１】（Ａ）（Ｂ）は本発明に係るフラットケーブルコネクタ用リテーナの実施の形態の一例を示した正面図及び側面図である。
【図２】発明に係るコネクタ付きフラットケーブルの実施の形態の一例の斜視図である。
【図３】図２に示すコネクタ付きフラットケーブルでコネクタハウジングを縦断して内部を開示した説明図である。
【図４】従来の接続端子とフラットケーブルの接続前の斜視図である。
【図５】接続端子をフラットケーブルに接続した従来の端子付きフラットケーブルの斜視図である。
【図６】従来の横形のコネクタハウジングに端子付きフラットケーブルを挿入する前の状態の斜視図である。
【図７】従来の縦形のコネクタハウジングに端子付きフラットケーブルを挿入する前の状態の斜視図である。
【図８】従来の縦形のコネクタハウジングに端子付きフラットケーブルを挿入した後のコネクタ付きフラットケーブルの平面図である。
【図９】従来の上下左右に端子収容室を有するコネクタハウジングに端子付きフラットケーブルを挿入する前の状態の斜視図である。
【図１０】従来の縦形のコネクタ付きフラットケーブルの各端子収容室にリテーナを挿入する過程を示す斜視図である。
【図１１】従来の縦形のコネクタ付きフラットケーブルの各端子収容室にリテーナを挿入した後の状態を示す縦断面図である。
【符号の説明】
【００３８】
１  フラット導体
２  フラット絶縁被覆
３  フラットケーブル
３Ａ，３Ｂ  フラットケーブル部
４  切込み
５ａ  雌形端子本体
５ｂ  端子板部
６  クリンプ片
７  接続端子
８  端子接続部
９  端子付きフラットケーブル
１０  コネクタハウジング
１１Ａ，１１Ｂ  端子収容室
１２  コネクタ
１３  コネクタ付きフラットケーブル
１４  ロック部材
１５，１６  切込み
１７  リテーナ本体
１８  フラットケーブルコネクタ用リテーナ
１９  押え部
２０  連結部材
２１  フラットケーブル通し溝
２２  フラットケーブル保持部材
２３  結束手段
【図１】
2008103342.tif 000003
【図２】
2008103342.tif 000004
【図３】
2008103342.tif 000005
【図４】
2008103342.tif 000006
【図５】
2008103342.tif 000007
【図６】
2008103342.tif 000008
【図７】
2008103342.tif 000009
【図８】
2008103342.tif 000010
【図９】
2008103342.tif 000011
【図１０】
2008103342.tif 000012
【図１１】
2008103342.tif 000013